(57)【要約】      （修正有）【課題】見やすく設置スペースが少なくてよい、組み立て簡単、軽量かつ適切な強度を有するスタンドボードを提供する。【解決手段】スタンドボード１は、床面から直立するようにして置かれる矩形状の薄板からなるボード本体１０と、該ボード本体下部において薄板厚からなるボード本体両側縁を支持して直立させるための２枚の脚板２０ａ，２０ｂと、からなるスタンドボードであって、該２枚の脚板は、床面に接して置かれる接地板部分と該接地板部分から直角に起立するボード支持板部分とを有し、該支持板部分の上端からボード本体側縁に差し込みする第１の差し込み片と、前記接地板部分と支持板部分の折り目線から立ち上がるように該支持板部分を打ち抜いて形成したボード本体下縁端部に差し込みする第２の差し込み片とを有し、当該２つの差し込み片は前記折り目線の中心から鉛直に立ち上がる線上にあることを特徴とする。【選択図】図１
0003150183.tif 000002
【実用新案登録請求の範囲】
【請求項１】
（１）床面から直立するようにして置かれる矩形状の薄板からなるボード本体と、
（２）該ボード本体下部において薄板厚からなるボード本体の両側縁部を支持して直立させるための２枚の脚板と、からなるスタンドボードであって、
該２枚の脚板は、床面に接して置かれる接地板部分と該接地板部分から折り目線を介して直角に起立するボード本体支持板部分とを有し、該支持板部分の上端からボード本体側縁に差し込みする第１の差し込み片と、前記折り目線から立ち上がるように該支持板部分を打ち抜いて形成したボード本体の下縁端部に差し込みする第２の差し込み片とを有し、当該２つの差し込み片は前記折り目線の略中心から折り目線に直交して立ち上がる線上にあることを特徴とするスタンドボード。
【請求項２】
薄板からなるボード本体の平面と、２枚の脚板の支持板部分の平面が互いに直交する方向にあることを特徴とする請求項１記載のスタンドボード。
【請求項３】
脚板が一枚の板材料からなり、接地板部分が支持板部分に対して、前記折り目線からボード本体下面側に直角に曲げられていることを特徴とすることを特徴とする請求項１または請求項２記載のスタンドボード。
【請求項４】
脚板が硬質な透明なプラスチック材料からなることを特徴とする請求項１ないし請求項３のいずれか１の請求項記載のスタンドボード。
【請求項５】
ボード本体が薄板状の芯材と、ボード本体の上下端部を除き、その周囲を包囲する厚紙材料からなることを特徴とする請求項１記載のスタンドボード。
【請求項６】
ボード本体の上端にスリット状溝を有し、当該スリット状溝に差し込みしたトップボードを有することを特徴とする請求項１記載のスタンドボード。
【考案の詳細な説明】
【技術分野】
【０００１】
本考案は、スタンドボードと呼ばれる板状の簡易な広告等表示体に関するものである。スタンドボードは、板面に広告や案内情報を表示して、店舗前や店舗内売場前の床面や台上の、人目につき易い場所に立設して置かれる。必要な場合は、スタンドボードの正面に商品等を展示する場合もあるものである。
本考案は、そのようなスタンドボードであって、ボードを立設させる脚部の構造に特徴を持たせたものである。
【背景技術】
【０００２】
スタンドボードは剛構造の広告板とは異なり、主として屋内の外力の影響を受けない位置に置かれる軽量で簡易な構造の表示体である。その目的から簡単に組み立てでき、持ち運びして移動でき、立設して必要な情報を表示可能とするものである。
特許文献１のように、ホワイトボード等の筆記可能なパネルをスタンドボードという場合もあるが、本考案は、当該ホワイトボードとは異なるものである。
【０００３】
スタンドボードは、図９〜図１１のように、従来から各種の構造が考えられている。
図９は、ボード（板状体）１０に、差し込み溝２３を有する三角形状の脚板２０を２枚用意し、ボード１０の下側の縁に２箇所差し込みして立設するものである。この場合は、脚板２０がボード１０の下側を一部隠すことになるので、表示の妨げとなったり、ボードの正面に展示物を置き難くなる問題がある。
【０００４】
図１０は、ボード（板状体）１０に、差し込み片２２ａ，２２ｂを有する矩形状の脚板２０ａ，２０ｂの２枚を用意し、ボード１０の下側の両側縁に有する差し込み溝１２ａ，１２ｂ部分に、差し込み片２２ａ，２２ｂを差し込みして立設するものである。
この場合は、ボードの前側が広いスペースになるので展示物を置くことを妨げることはないが、脚板２０ａ，２０ｂに強度のある材料を使用する必要があることと、ボードの下面が少し浮いてしまう問題がある。組み立て前の材料の梱包が大きくなったり材料費が高くなることも考えられる。
【０００５】
図１１は、三角柱状の脚板３０に長溝状の差し込み溝３１を設けて、ボード（板状体）１０の下縁側全体を差し込みして固定するものである。この場合は、脚板３０がボード１０の下側の全体を隠すことになるので、表示面積が小さくなることと、ボードの正面に展示物を置き難くなる問題がある。組み立て前のスタンドボード材料の梱包が大きくなったり材料費が高くなることも考えられる。
【０００６】
本考案は、かかる従来技術の問題点を解決しようとするものである。本考案に直接関連する先行特許文献は検出されないが、「起立広告板」に関し特許文献２があり、「簡易広告板」に関し特許文献３がある。また、特許文献４は、「広告板保持具」に関し、特許文献５は、「広告表示板」に関するが、いずれも本願とは相違している。
【０００７】
【特許文献１】特開２００７−  ２１７８６号公報
【特許文献２】実開昭６０−１０７９７５号公報
【特許文献３】実開昭６２−１６９３７９号公報
【特許文献４】実用新案登録第３０７１０３７号公報
【特許文献５】特開２００２−１８２５６４号公報
【考案の開示】
【考案が解決しようとする課題】
【０００８】
従来からのスタンドボードは、前記のように、主として脚部構造を改善することが求められている。その要点は、（１）安価な材料を用い簡易な形状ではあるが、ある程度の耐久構造を有し傾いたり変形したりしないこと、（２）軽量であって持ち運びが容易であり、組み立て前の形態において梱包・輸送コストがかからないこと、（３）ボーオ本体が広い表示面積を確保し、ボードの正面に展示物等を置けること、であると考えられる。
本考案は、これらの課題を解決するものである。
【課題を解決するための手段】
【０００９】
上記の目的を達成する本考案に係るスタンドボードは、（１）床面から直立するようにして置かれる矩形状の薄板からなるボード本体と、（２）該ボード本体下部において薄板厚からなるボード本体の両側縁部を支持して直立させるための２枚の脚板と、からなるスタンドボードであって、該２枚の脚板は、床面に接して置かれる接地板部分と該接地板部分から折り目線を介して直角に起立するボード本体支持板部分とを有し、該支持板部分の上端からボード本体側縁に差し込みする第１の差し込み片と、前記折り目線から立ち上がるように該支持板部分を打ち抜いて形成したボード本体の下縁端部に差し込みする第２の差し込み片とを有し、当該２つの差し込み片は前記折り目線の略中心から折り目線に直交して立ち上がる線上にあることを特徴とする。
【考案の効果】
【００１０】
本考案に係るスタンドボードは、脚板がボード本体をその平面に対して、直交する面を有する板状体がその差し込み片をボード本体側縁の２箇所に差し込みして支持しているので、ボード本体が床面に対して安定した鉛直面を維持することができる。
本考案に係るスタンドボードは、脚板がボード本体表示面の正面に構成部材を有しないので、表示の視認や展示物を置くことの妨げとなることがない。
本考案に係るスタンドボードは、簡易な加工材料を用いて手加工で組み立てできるので、セットの組み立て材料から誰でも容易に組み立てできる。
組み立て材料が薄板材料からなり軽量なため、セットの梱包や輸送費を低減できる。
【００１１】
請求項２のように、薄板からなるボード本体の平面と、２枚の脚板の支持板部分の平面が互いに直交する方向にある、ようにすれば風等の外力に対して倒れ難くなる。また、請求項３のように、脚板が一枚の板材料からなり、接地板部分が支持板部分に対して、前記折り目線からボード本体下面側に直角に曲げられている構造にすれば組み立てが容易であり、設置面積も小さくできる。請求項４のように、脚板が硬質な透明なプラスチック材料からなる、ようにすれば、ボード本体の視認を妨げない効果を生じる。請求項５のように、ボード本体が薄板状の芯材と、ボード本体の上下端部を除き、その周囲を包囲する厚紙材料からなる、ような構造にすれば、頭頂部にはトップボードを取り付け易く、下端および側縁に対して差し込み片を差し込み易くできる。請求項６のように、ボード本体の上端にスリット状溝を有し、当該スリット状溝に差し込みしたトップボードを有する、ようにすれば広告等の効果を高めることができる。
【考案を実施するための最良の形態】
【００１２】
図１は、本考案に係るスタンドボードを示す図、図２は、ボード本体の構造を示す図、図３は、脚板を示す図、図４は、脚板の組み立て工程を示す図、図５は、ボード本体に脚板を組み付けする状態を示す図、図６は、本考案に係るスタンドボードの変形例を示す斜視図、図７は、厚紙材料のブランク板を示す図、図８は、トップボードのブランク板を示す図、である。
【００１３】
本考案に係るスタンドボード１は、図１のように、薄板状のボード本体１０を有し、ボード本体１０はその左右両下端において支持す脚板２０ａ，２０ｂにより、床面等から直立するようにされている。スタンドボード１は、店舗や売り場等の前面において、通路に平行してあるいは直交するように置いて、顧客等に広告や情報表示することができる。
従って、広告や情報表示は、ボード本体１０の片面または両面に表示される。
【００１４】
図２は、ボード本体１０の構造を示す図である。図２（Ａ）は正面図、図２（Ｂ）は、下縁が開口している場合の平面図、図２（Ｃ）は、側面図、である。
ボード本体１０は、どのような材料から構成されていても構わないが、薄板状の芯材１４と、その上下縁を除く全周囲を包囲する厚紙材料１５からなる構成を好ましく採用できる。ただし、上縁に後述するトップボードを使用しない場合は、上面も包囲してよい。
上下面を開放する場合、厚紙材料１５は上縁１０ｕと下縁１０ｄが開口した偏平なさや状の箱体を形成することになり、当該箱体内に、ダンボール等からなる芯材１４が隙間が生じないように挿入される。通常は、挿入するだけで芯剤が抜け落ちることはないが、両者間を接着してもよい。
このような構造にすることで、後記する脚板２０ａ，２０ｂの差し込み片を、芯材１４と厚紙材料１５の間の隙間に差し込んで、固定することができる（図２（Ａ））。
ボード本体１０の側縁にある切り欠き（図２（Ｃ）参照）は、脚板の上端側の第１の差し込み片を挿入する差し込み口１１ａであり、第２の差し込み片は、ボードの下縁端部であって芯材１４と厚紙材料１５の間（矢印ｙの先部分）の差し込み口１２ａ，１２ｂに差し込まれる。
【００１５】
図２（Ｂ）のように、下縁が開口している場合は、ダンボール等の芯材１４が露出しており、側縁１０ｒ，１０ｌにおける芯材１４と厚紙材料１５の間の最下端の隙間である差し込み口１２ａ，１２ｂに脚板２０の差し込み片が差し込まれる。ただし、下縁１０ｄ側を密閉して差し込み口１２ａ，１２ｂだけを残すようにしてもよい。
芯材１４はボード本体１０の内部全体に充填される必要はなく、厚紙材料１５が自立性を有する限りボード本体１０の上縁側（図２（Ａ）において鎖線ｋから上の部分）は省略してもよい。このボード本体１０の製造方法については、後に詳述するものとする。
【００１６】
図３は、脚板２０を示す図である。右側用の１枚の脚板２０ａのみを示しているが、ボード本体１０の両側に使用するものである。ボード本体１０を支持する脚板２０ａは、断面が折り目線ｓを介して「逆Ｌ」または「Ｌ」形に屈曲した形状を有し、接地板部分２４は床面等に接触し、支持板部分２５はボード本体１０を支えるはたらきをしている。
図３の場合、脚板２０ａの接地板部分２４は、ボード本体１０の下面側に直角に曲げられているが、ボード本体１０の外面側に曲げるようにしてもよい。脚板２０ａの支持板部分２５の平面は、薄板状からなるボード本体１０の平面と、その平面が互いに直交する方向になるようにされている。
【００１７】
支持板部分２５の上端には第１の差し込み片２１ａを有する。脚板２０の折り目線ｓからは第２の差し込み片２２ａが起立している。これは支持板部分２５から打ち抜きされたものである。第１の差し込み片２１ａは、前記のようにボード本体１０の側縁にある差し込み口１１ａに差し込みされ、第２の差し込み片２２ａは差し込み口１２ａに差し込みされる。第１と第２の２つの差し込み片２１ａ，２２ａは前記折り目線ｓの略中心から折り目線に直交して立ち上がる１の線上にあるようにされる。
略中心とするのは、差し込み片が脚板２０の長さ方向のほぼ中心にあることが、ボードの転倒を防止し易いからである。第１の差し込み片の下端と第２の差し込み片の下端との間隔ｈが、ボード本体高さ（トップボード３を付ける場合はトップボードを含む高さ）の１５％から２０％程度の高さがある方が簡単に転倒することを防止できて好ましい。
ただし、転倒し易いか否かは高さ寸法だけではなく、トップボード３等の質量（使用する材料や厚み）等にも関係する。
第１と第２の差し込み片は、ほぼ同一形状であってよい。長さｌは、２０〜６０ｍｍ程度、幅は、厚紙材料１５からなる箱体の側縁の内側幅と同一寸法とするのが、ボード本体１０を緩みなく固定できて好ましい。
【００１８】
図４は、脚板の組み立て工程を示す図である。図４（Ａ）は、打ち抜き直後の平面図、図４（Ｂ）は折り曲げ後の断面図、である。
脚板２０は、スタンドボード全体を支えるので、頑丈な材料からなるものが好ましい。鉄やステンレス等の金属材料、あるいは板紙であっても良いが、ボードの表示を視認し易くするためには、ＰＥＴ（ポリエチレンテレフタレート）やアクリル等の透明なプラスチック材料を好ましく使用できる。プラスチック材料は打ち抜き加工も容易である。
プラスチック材料の場合、図４（Ａ）のように、平板な板材料から脚板２０の全体形状を打ち抜きして形成できる。第１の差し込み片２１ａと第２の差し込み片２２ａも同時に打ち抜きする。第２の差し込み片２２ａ部分は、打ち抜き跡の形状とが重なって図示されている。折り線ｓも打ち抜きと同時に形成できるが、別工程であってもよい。
次に、図４（Ｂ）のように、折り線ｓ側に９０度折り曲げて断面「逆Ｌ」または「Ｌ」形状にする。第２の差し込み片２２ａも折り線ｓから９０度折り曲げする。このように、全ての部分を同一材料から形成すれば、接着等の加工が不要であり強度も高くできる。
図４の場合、片側しか図示してないが、左右一対分作製するものである。
【００１９】
図５は、ボード本体に脚板を組み付けする状態を示す図である。
成型した脚板２０を、前記のボード本体１０に組み付けしてスタンドボード１が完成する。第１の差し込み片２１ａは、差し込み口１１ａに差し込まれ、第２の差し込み片２２ａは、ボードの下縁であって芯材１４と厚紙材料１５の間（図２の矢印ｙ部分）の差し込み口１２ａに差し込まれる。左側の脚板２０ｂも同様にして組み付けする。
【００２０】
図６は、本考案に係るスタンドボードの変形例を示す斜視図である。
変形例のスタンドボード２は、上縁にトップボード３を持たせた特徴がある。トップボード３もカード用紙や板紙等の厚板材料から形成できる。トップボード３は、ボード本体１０の上縁１０ｕよりやや横長に２つ折りにした厚板材料を２つ折り線が最頭頂部になるようにして、下側の差し込み部の一部をボード本体１０の上縁１０ｕのスリット内に差し込みして固定する。このようなトップボード３を設けることにより、宣伝や情報の重要な内容を表示して観る者への訴求力を高めることができる。
【００２１】
図７は、ボード本体のブランク板を示す図である。厚紙材料からなる単位のブランク板５は、前面板５ａと背面板５ｂ、側面板５ｃ，５ｄ、２枚の上フラップ板５ｅ，５ｆ、糊しろ５ｇとからなっている。各折り目線ｆ１，ｆ２，ｆ３，ｆ４を９０度に折り曲げ、前面板５ａと糊しろ５ｇの間が接着される。なお、ｆ５，ｆ６は箱体内に差し込まれるので９０度以上の角度になる。ｆ７，ｆ８は９０度未満となる。
側面板５ｃ，５ｄは、ボードの下端からボード本体１０の高さＨの１５％以上であって、２０％程度までの高さ位置に差し込み片２１ａ，２１ｂの差し込み口１１ａ，１１ｂを設ける。この程度の高さ位置であれば、簡単には倒れないようにできる。
【００２２】
なお、このように連続したブランク板にせずに、側面板と糊しろを有する前面板５ａと背面板５ｂをそれぞれ作製してから、両者間を接着しても良いのは勿論のことである。
２枚の上フラップ板５ｅ，５ｆを鞘状に形成した箱体の内側になるように折り曲げてから、前面板５ａと糊しろ５ｇの間が接着される。このように形成した上フラップ板５ｅ，５ｆは、トップボード３を差し込んだ際に弾性的に挟み込む作用するので、トップボード３が簡単には抜け難くする効果を有する。
トップボード３を使用しないスタンドボードの場合は、フラップ板を設けず上面板を設けて閉じた形態にしてもよいものである。ボード本体１０の下縁側も差し込み片２２が差し込みできる差し込み口があれば、厚紙で閉じてもよい。
【００２３】
図８は、トップボードのブランク板を示す図である。トップボードのブランク板６は、外観に現れる部分の長さをスタンドボード本体１０の幅よりもやや長い幅に形成する。
折り線ｐを二つ折りにして最頭頂部とし、ボード本体１０に差し込みする。差し込み部分は、スタンドボード本体１０の箱体の内寸幅と同程度の寸法にする。トップボード３が差し込みできるように、芯材１４は箱体の上辺まで無いようにするのが好ましい。
箱体の内側に弾性的に作用するように、折り畳み部６ａ，６ｂを設けてもよい。この折り畳み部６ａ，６ｂは厚板紙の側縁に対して圧力を与える作用を行う。
従来のトップボードはボード本体にセットした後のぐらつきが問題となっていたが、前記のフラップ板５ｅ，５ｆとこの折り畳み部６ａ，６ｂにより安定してボード本体１０に固定され、ぐらつきが解決できるものである。
【実施例】
【００２４】
スタンドボード本体１０の薄板状の芯材１４として、厚さ５ｍｍの両面ダンボール（Ａフルート，サイズ；５１２ｍｍ×４８０ｍｍ）を２枚使用し、同一サイズの２枚を正しく重ね合わせて、両者の面間を接着した。
ボード本体の周囲を包囲する厚紙材料１５として、片面ポリプロピレン貼りのカード用紙（３６ｋｇ／４６判）を使用し、図７のようなブランク板５を作製した。
前面板５ａと背面板５ｂの幅が５１５ｍｍ、高さが７２８ｍｍ、両側面板５ｃ，５ｄの幅が１０ｍｍ、高さが７２８ｍｍ、糊しろ５ｇの幅が２０ｍｍ、上フラップ板５ｅ，５ｆの幅が５１５ｍｍ、幅１８ｍｍ（１０ｍｍと８ｍｍの部分からなる）となるようにした。  側面板５ｃは、ボード本体の下端から１５０ｍｍの位置に第１の差し込み片２１ａを差し込みする差し込み口１１ａを設けた。側面板５ｄも同様にした。このスタンドボード１は、高さ（幅）７５ｍｍのトップボード３を使用する予定であるから、差し込み口１１ａは全体高さ（８０３ｍｍ）の約１９％の高さ位置にあることになる。
【００２５】
このブランク板５をポリプロピレン面が外面になるように折り畳みし、かつ糊しろ５ｇ部を接着して、薄い（厚さ１０ｍｍ）鞘状の箱体を完成した。
この箱体の中に先に準備した板状の芯材１４を挿入してボード本体１０を完成した。芯材１４の厚みが１０ｍｍであり、箱体の側面板５ｃ，５ｄの幅が１０ｍｍであるが、ダンボールである芯材は圧縮により多少潰れるので、密着して箱体の中に納まった。
【００２６】
トップボード３のブランク板６にも片面ポリプロピレン貼りのカード用紙（３６ｋｇ／４６判）を厚紙材料１５として使用した。これを、長さ６００ｍｍ、折り畳み後の高さが７５ｍｍになるように図８のように打ち抜いた。折り線ｐでポリプロピレン面が外面になるように二つ折りにし、折り畳み部６ａ，６ｂを折り畳み、両面間の接着をしないでボード本体１０の上縁のスリット間に差し込みした。
【００２７】
脚板材料として、厚さ０．８ｍｍの透明なＰＥＴ板を使用した。これを図４（Ａ）のような形状に、２枚打ち抜きした。接地板部分２４が長さ３００ｍｍ、幅３５ｍｍとなるようにし、支持板部分２５が高さｈが１５０ｍｍの略２等辺三角形状になるようにし、その先端に第１の差し込み片２１ａ、２１ｂを形成した。第２の差し込み片２２ａ、２２ｂは、折り線ｓ部分から立ち上がるように打ち抜きした。第１、第２の差し込み片は、幅が９ｍｍ、長さｌが３０ｍｍとなるようにし、先端をやや尖らせた形状にした。
折り線ｓから、一方の脚板２０ａは「逆Ｌ」形状に、他方の脚板２０ｂは「Ｌ」形状に９０度折り曲げして脚板を完成した。
第１の差し込み片２１ａ、２１ｂを差し込み口１１ａ、１１ｂに、第２の差し込み片２２ａ、２２ｂを差し込み口１２ａ、１２ｂに、それぞれ差し込みして、ボード本体１０に固定した。これにより、スタンドボード１を完成した。
【００２８】
完成したスタンドボード１は、軽く耐久性の高いものであった。
なお、スタンドボード１を実用する場合は、必要な表示を印刷等により設けたり、表面に印刷物等を貼り付けして展示したりするものである。
本考案の実施形態は、実施例として記載したものに限定されず、種々の変形形態が可能であり、それらが本考案の範囲内であることは当業者には自明なことである。
【図面の簡単な説明】
【００２９】
【図１】本考案に係るスタンドボードを示す図である。
【図２】ボード本体の構造を示す図である。
【図３】脚板を示す図である。
【図４】脚板の組み立て工程を示す図である。
【図５】ボード本体に脚板を組み付けする状態を示す図である。
【図６】本考案に係るスタンドボードの変形例を示す斜視図である。
【図７】ボード本体のブランク板を示す図である。
【図８】トップボードのブランク板を示す図である。
【図９】従来のスタンドボードの構造を示す図である。
【図１０】従来のスタンドボードの構造を示す図である。
【図１１】従来のスタンドボードの構造を示す図である。
【符号の説明】
【００３０】
１  スタンドボード
２  スタンドボード
３  トップボード
５  ボード本体のブランク板
６  トップボードのブランク板
１０  ホード本体、ボード
１１ａ，１１ｂ，１２ａ，１２ｂ    差し込み口
１４  芯材
１５  厚紙材料
２０  脚板
２１ａ  第１の差し込み片
２２ａ  第２の差し込み片
２４  接地板部分
２５  支持板部分
３０  従来の脚板
【図１】
0003150183.tif 000003
【図２】
0003150183.tif 000004
【図３】
0003150183.tif 000005
【図４】
0003150183.tif 000006
【図５】
0003150183.tif 000007
【図６】
0003150183.tif 000008
【図７】
0003150183.tif 000009
【図８】
0003150183.tif 000010
【図９】
0003150183.tif 000011
【図１０】
0003150183.tif 000012
【図１１】
0003150183.tif 000013